(57)【要約】【課題】装飾図柄表示器の表示内容が埃の影響で不鮮明になることを防止すること。【解決手段】裏樋に清掃口６８を設け、清掃口６８を裏樋の右部裏樋６３によって開閉する構成とした。このため、遊技盤を装飾図柄表示器から取外すことなく右部裏樋６３を回動操作することで清掃口６８を開放し、閉鎖空間１６０の外部から清掃口６８を通して閉鎖空間１６０の内部に清掃具１６１を挿入して遊技盤の後面および装飾図柄表示器の液晶画面のそれぞれを容易に清掃することができる。【選択図】図６
2007190248.tif 000002
【特許請求の範囲】
【請求項１】
透光性の遊技盤と、
前記遊技盤の後方に設けられ、大当りおよび外れを識別するための識別図柄が表示される表示画面を有する図柄表示器と、
前記遊技盤と前記図柄表示器との間に設けられ、前記図柄表示器の表示画面を取囲む枠状をなす枠部材とを備え、
前記遊技盤と前記図柄表示器と前記枠部材の３部材は、前記遊技盤と前記図柄表示器と前記枠部材との間にこれら３部材で囲まれた閉鎖空間が形成されるように相互に接合され、
前記枠部材には、
前記図柄表示器の表示画面を清掃する清掃具または前記遊技盤の後面を清掃する清掃具を前記閉鎖空間の外部から内部に挿入するための空間状の清掃口と、
前記清掃口を閉鎖状態および開放状態に相互に切換える開閉部材が設けられていることを特徴とするパチンコ遊技機。
【請求項２】
前記開閉部材は、前記枠部材のうち前記図柄表示器の表示画面の左側面に沿って縦方向へ延びる一部または右側面に沿って縦方向へ延びる一部から設けられ、
前記開閉部材は、前記清掃口を閉鎖する閉鎖状態および前記清掃口を開放する開放状態相互間で回動可能に前記枠部材の残りの部分に連結されていることを特徴とする請求項１に記載のパチンコ遊技機。
【発明の詳細な説明】
【技術分野】
【０００１】
本発明は、透光性の遊技盤を備えたパチンコ遊技機に関する。
【背景技術】
【０００２】
上記パチンコ遊技機には遊技盤の後方に図柄表示器を配置し、前方から遊技盤を通して図柄表示器の表示内容を視認できるように構成したものがある。この構成の場合、図柄表示器と遊技盤との間に枠部材を介在し、図柄表示器で発生する熱が遊技盤側へ伝わることを枠部材によって抑えている。
【特許文献１】特開２００５−１５２５７９号公報
【発明の開示】
【発明が解決しようとする課題】
【０００３】
従来のパチンコ遊技機では盤替え時に図柄表示器を残したまま遊技盤を交換することができるように遊技盤が図柄表示器に対して着脱可能にされているので、遊技盤を図柄表示器から取外すことで遊技盤の後面および図柄表示器の表示画面の双方を清掃することができる。この従来のパチンコ遊技機は透光性の遊技盤を別の透光性の遊技盤に交換することはできるが、透光性の遊技盤およびベニヤ製の遊技盤を相互に交換することはできない。これに対して盤替え時に遊技盤を図柄表示器ごと交換する構成の場合には透光性の遊技盤およびベニヤ製の遊技盤を相互に交換することができる。この構成の場合、遊技盤と図柄表示器と枠部材の３部材をまとめて交換できるように遊技盤と図柄表示器と枠部材の３部材が相互に分解不能に接合されているので、遊技盤を図柄表示器から取外すことが困難である。このため、遊技盤の後面および図柄表示器の表示画面をいずれも容易に清掃することができないので、図柄表示器の表示内容が遊技盤の後面に付着した埃の影響で不鮮明になったり、あるいは、図柄表示器の表示画面に付着した埃の影響で不鮮明になる虞れがある。
【０００４】
本発明は上記事情に鑑みてなされたものであり、その目的は、図柄表示器の表示内容が埃の影響で不鮮明になることを防止することができるパチンコ遊技機を提供することにある。
【課題を解決するための手段】
【０００５】
＜請求項１記載のパチンコ遊技機の説明＞
請求項１記載のパチンコ遊技機は［１］遊技盤〜［５］開閉部材を備えたところに特徴を有する。
・  遊技盤は透光性を有するものであり、図２の符号３０は遊技盤の一例である。
［２］図柄表示器は遊技盤の後方に設けられたものであり、大当りおよび外れを識別するための識別図柄が表示される表示画面を有している。図３の装飾図柄表示器１４０は図柄表示器の一例であり、装飾図柄表示器１４０の液晶画面１４１は表示画面に相当する。この液晶画面１４１は３列の図柄要素からなる装飾図柄が表示されるものであり、装飾図柄は大当りおよび外れを識別するための識別図柄に相当する。
［３］枠部材は遊技盤と図柄表示器との間に設けられたものであり、図柄表示器の表示画面を取囲む枠状をなしている。この枠部材と遊技盤と図柄表示器の３部材は相互に接合されたものであり、枠部材と遊技盤と図柄表示器の間にはこれら３部材で囲まれた閉鎖空間が形成される。図５の符号１６０は閉鎖空間の一例であり、図２のスペーサ１５０は枠部材の一例である。このスペーサ１５０は、図３に示すように、第１の枠部材に相当する前側の裏樋６０および第２の枠部材に相当する後側の液晶ステー９０を相互に接合することから構成されている。
［４］清掃口は枠部材に設けられた空間部を称するものであり、閉鎖空間の内部には図柄表示器の表示画面または遊技盤の後面を清掃する清掃具が閉鎖空間の外部から清掃口を通して挿入可能にされている。図６の符号６８は清掃口の一例であり、清掃口６８はスペーサ１５０のうち前側の裏樋６０に形成されている。図６の符号１６１は閉鎖空間１６０の外部から清掃口６８を通して閉鎖空間１６０の内部に挿入される清掃具の一例であり、清掃具１６１は遊技盤３０の後面および図柄表示器１４０の表示画面１４１の双方を清掃するためのものである。
［５］開閉部材は枠部材に設けられたものであり、清掃口を開放状態および閉鎖状態に相互に切換える蓋として機能する。このため、遊技盤と図柄表示器と枠部材が相互に接合された構成であっても遊技盤を図柄表示器から取外すことなく開閉部材を操作することで清掃口を開放し、閉鎖空間の外部から清掃口を通して閉鎖空間の内部に清掃具を挿入することができる。従って、遊技盤の後面および図柄表示器の表示画面のそれぞれを容易に清掃することができるので、図柄表示器の表示内容が埃の影響で不鮮明になることを防止できる。しかも、遊技盤の後面および図柄表示器の表示画面をいずれも清掃しないときには清掃口を閉鎖しておくことができるので、閉鎖空間の外部から内部に清掃口を通して埃が侵入することを抑えることができる。図５の右部裏樋６３は開閉部材の一例であり、垂直な閉鎖状態になることに基づいて清掃口６８を閉鎖状態に切換え、水平な開放状態になることに基づいて清掃口６８を開放状態に切換える。
＜請求項２記載のパチンコ遊技機の説明＞
請求項２記載のパチンコ遊技機は開閉部材を枠部材のうち図柄表示器の表示画面の左側面に沿って縦方向へ延びる一部または右側面に沿って縦方向へ延びる一部から構成したものである。この開閉部材は清掃口を閉鎖する閉鎖状態および清掃口を開放する開放状態相互間で回動可能に枠部材の残りの部分に連結されているので、開閉部材を容易に開閉操作することが可能になる。図５の右部裏樋６３は枠部材１５０のうち図柄表示器１４０の表示画面１４１の右側面に沿って縦方向へ延びる一部から構成された開閉部材の一例であり、残りの部分である上部裏樋６４に回動可能に連結されている。  
【発明を実施するための最良の形態】
【０００６】
図１の外枠１はパチンコホールの台島に設置されるものであり、前後面が開口する四角筒状をなしている。この外枠１には内枠２が左側部の垂直な軸３を中心に回動可能に装着されている。この内枠２は外枠１の前端面に接触する閉鎖状態および外枠１の前端面から前方へ離間する開放状態に相互に回動操作されるものであり、図１は内枠２を閉鎖状態で示している。この内枠２は、図２に示すように、前後面が開口する四角筒状をなすものであり、内枠２の下端部にはレール台４が形成され、内枠２の内部にはレール台４の上方に位置して遊技盤収納部５が形成されている。レール台４は発射レールが固定されるものであり、遊技盤収納部５は内枠２の内部空間のうちレール台４の残余部分を称する。この内枠２には４個の支え部６が形成されている。これら各支え部６は遊技盤収納部５内に突出する板状をなすものであり、上方の２個の支え部６のそれぞれにはＬ字状のストッパ７が前後方向へ延びる軸８を中心に回動可能に装着され、下方の２個の支え部６のそれぞれにはＬ字状のストッパ９が静止状態で固定されている。
【０００７】
内枠２には、図１に示すように、下端部に位置して横長な長方形状の下皿板１０が固定されており、下皿板１０には上面が開口する下皿１１が固定されている。この下皿板１０の上方には上皿板１２が配置されており、上皿板１２には上面が開口する上皿１３が固定されている。この上皿板１２は横長な長方形状をなすものであり、内枠２に左側部の垂直な軸を中心に回動可能に装着されている。この上皿板１２は内枠２の前端面に接触する閉鎖状態および内枠２の前端面から前方へ離間する開放状態に相互に回動操作されるものであり、図１は上皿板１２を閉鎖状態で示している。
【０００８】
下皿板１０の前面には右端部に位置してハンドル台１４が固定されており、ハンドル台１４には発射ハンドル１５が前後方向へ延びる軸を中心に回動可能に装着されている。この発射ハンドル１５の後方には発射モータが固定されており、発射ハンドル１５が回動操作されたときには発射モータに駆動電源が与えられ、発射モータの回転軸が一定方向へ一定速度で回転する。この発射モータの回転軸には、図２に示すように、発射装置１６が連結されている。この発射装置１６はレール台４に装着されたものであり、打球槌および駆動機構を有している。この駆動機構は発射モータの回転力を駆動源として打球槌を操作するものであり、打球槌は駆動機構によって操作されることに基づいて上皿１３内から供給される遊技球を叩き、遊技球を発射レールに沿って発射する。
【０００９】
内枠２には、図１に示すように、窓枠１７が左側部の垂直な軸を中心に回動可能に装着されている。この窓枠１７は内枠２の前端面に接触する閉鎖状態および内枠２の前端面から前方へ離間する開放状態に相互に回動操作されるものであり、図１は窓枠１７を閉鎖状態で示している。この窓枠１７は円形孔状の窓部を有するものであり、窓部の内周面には透明なガラス窓１８が固定されている。
【００１０】
内枠２の遊技盤収納部５には、図２に示すように、遊技盤ユニット２０が着脱可能に収納されている。この遊技盤ユニット２０は、図３に示すように、遊技盤３０と裏樋６０と液晶ステー９０と下意匠板１００と上意匠板１１０と裏樋カバー１２０と表示器ケース１３０と装飾図柄表示器１４０を有するものであり、遊技盤３０〜装飾図柄表示器１４０の詳細構成は次の通りである。
１．遊技盤３０の説明
遊技盤３０は透明な合成樹脂（例えばポリカーボネートあるいはアクリルあるいはアクリルにゴムを混ぜた材質）の板からなるものであり、遊技盤３０の前面には、図４に示すように、外レール３１および内レール３２が固定されている。これら外レール３１と内レール３２との間には発射通路３３が形成されている。この発射通路３３は遊技盤３０の左端部に位置する円弧状の空間部を称するものであり、発射装置１５が発射した遊技球は発射レールから発射通路３３内に発射通路３３の入口３４から侵入し、発射通路３３に沿って円弧状の軌跡を描きながら上昇した後に発射通路３３の出口３５から放出される。
【００１１】
遊技盤３０の前面には右上部に位置して合成樹脂製の球止め部材３６が固定されている。この球止め部材３６は外レール３１の右端部と内レール３２の右端部との間の隙間を埋めるものであり、球止め部材３６と外レール３１と内レール３２との間には遊技領域３７が形成されている。この遊技領域３７は外レール３１と内レール３２と球止め部材３６によって囲まれた領域のうち発射通路３３を除く円形状をなすものである。この遊技領域３７は発射通路３３の出口３５から放出された遊技球が転動可能な最大範囲である転動領域に相当するものであり、遊技領域３７内には複数の釘３８が固定されている。    
【００１２】
遊技盤３０の前面には飾りレール３９が固定されている。この飾りレール３９は遊技領域３７内に配置されたものであり、飾りレール３９と外レール３１との間には球通路４０が形成され、飾りレール３９と内レール３２との間には球通路４１が形成されている。これら球通路４０および球通路４１のそれぞれは遊技領域３７内に放出された遊技球が転動可能なものであり、上方の球通路４０は左方の球通路４１に比べて幅狭に設定されている。遊技盤３０の前面には遊技領域３７の外部に位置して銘板台５３が固定されている。この銘板台５３の前面にはシールが貼付されており、シールには機種名・製造社名・大当り確率・賞品球の払出し個数が記入されている。
【００１３】
遊技盤３０には遊技領域３７内に位置して電動始動装置４２が固定されている。この電動始動装置４２は上始動口４３および下始動口４４を上下２段に有するものであり、上始動口４３および下始動口４４のそれぞれは上面が開口するポケット状をなしている。これら上始動口４３内および下始動口４４内のそれぞれには始動口センサが装着されており、上始動口４３内の始動口センサは遊技球が上始動口４３内に入賞したことを検出して制御基板に始動信号を出力し、下始動口４４内の始動口センサは遊技球が下始動口４４内に入賞したことを検出して制御基板に始動信号を出力する。この制御基板は内枠２に固定されたものであり、始動信号を検出することに基づいて上皿１３内に設定個数の遊技球を賞品球として払出し、大当りおよび外れを判定する。
【００１４】
下始動口４４には２枚の羽根板４５が装着されており、両羽根板４５は共通の始動口ソレノイドに連結されている。これら両羽根板４５は始動口ソレノイドが断電されることに基づいて垂直な縮小状態になるものであり、図４は両羽根板４５を縮小状態で示している。これら両羽根板４５の縮小状態では両羽根板４５相互間の隙間が上始動口４３によって上方から閉鎖され、遊技球が上始動口４３内のみに入賞することが許容される。これら両羽根板４５は始動口ソレノイドが通電されることに基づいて水平な拡大状態に回動するものであり、両羽根板４５の拡大状態では下始動口４４の左右両側部を落下する遊技球が羽根板４５によって捕捉されることに基づいて下始動口４４内に入賞可能になる。
【００１５】
遊技盤３０には遊技領域３７内に位置して特別電動入賞装置４６が固定されている。この特別電動入賞装置４６は前面が開放する特別入賞口および扉４７を有するものであり、扉４７は特別入賞口ソレノイドに連結されている。この扉４７は特別入賞口ソレノイドの断電状態で垂直な閉鎖状態になることに基づいて特別入賞口の前面を遊技球が入賞不能に閉鎖するものであり、図４は扉４７を閉鎖状態で示している。この扉４７は特別入賞口ソレノイドの通電状態で前方へ水平に倒れた開放状態に回動するものであり、扉４７の開放状態では遊技球が扉４７に乗って特別入賞口内に転がり込むことが許容される。この特別入賞口内にはカウントセンサが装着されており、カウントセンサは遊技球が特別入賞口内に入賞したことを検出して制御基板にカウント信号を出力し、制御基板はカウント信号を検出することに基づいて上皿１３内に設定個数の遊技球を賞品球として払出す。
【００１６】
遊技盤３０には、図３に示すように、始動口取付孔４８および特別入賞口取付孔４９が形成されており、始動口取付孔４８内には電動始動装置４２の樋５０が挿入され、特別入賞口取付孔４９内には特別電動入賞装置４６の樋５１が挿入されている。樋５０は電動始動装置４２の上始動口４３および下始動口４４の双方に接続されたものであり、上始動口４３内に入賞した遊技球および下始動口４４内に入賞した遊技球はいずれも樋５０に沿って後方へ転がる。樋５１は特別電動入賞装置４６の特別入賞口に接続されたものであり、特別入賞口内に入賞した遊技球は樋５１に沿って後方へ転がる。遊技盤３０には特別入賞口取付孔４９の下方に位置してアウト孔５２が形成されている。このアウト孔５２は、図４に示すように、内レール３２の最低部に配置されたものであり、上始動口４３と下始動口４４と特別入賞口のいずれにも入賞しなかった遊技球は内レール３４に沿ってアウト孔５２内に転がり込む。
２．裏樋６０の説明
裏樋６０は、図３に示すように、下部裏樋６１と左部裏樋６２と右部裏樋６３と上部裏樋６４の４部材を有するものであり、下部裏樋６１は後方から下部裏樋６１を通して遊技盤３０に複数のネジを螺合することで遊技盤３０の後面に直接的に接合され、左部裏樋６２は後方から左部裏樋６２を通して遊技盤３０に複数のネジを螺合することで遊技盤３０の後面に直接的に接合され、上部裏樋６４は後方から上部裏樋６４を通して遊技盤３０に複数のネジを螺合することで遊技盤３０の後面に直接的に接合されている。
【００１７】
上部裏樋６４の右端部には、図５に示すように、突状の継手部６５が形成されており、上部裏樋６４の継手部６５は右部裏樋６３の継手部６６に後方から重ねられている。この継手部６６は厚さ寸法が右部裏樋６３の残り部分に比べて薄く設定されたものであり、継手部６５および継手部６６の双方には前後方向へ延びる軸６７が挿入され、右部裏樋６３は軸６７を中心に下部裏樋６１と左部裏樋６２と上部裏樋６４の３部材に対して回動可能にされている。
【００１８】
右部裏樋６３は清掃口６８を開放状態および閉鎖状態に相互に切換える開閉部材に相当するものである。この清掃口６８は、図６に示すように、下部裏樋６１および上部裏樋６４相互間の右端部に形成された空間部を称するものであり、図５に示すように、右部裏樋６３が垂直な閉鎖状態に回動操作されることに基づいて閉鎖され、図６に示すように、右部裏樋６３が水平な開放状態に回動操作されることに基づいて開放される。
【００１９】
右部裏樋６３の下端部には、図５に示すように、抜止め突部６９が形成されており、抜止め突部６９は右部裏樋６３が閉鎖状態に回動操作されることに基づいて抜止め溝部７０内に係合する。この抜止め溝部７０は下部裏樋６１に形成されたものであり、抜止め突部６９は、図６に示すように、右部裏樋６３が開放状態に回動操作されることに基づいて抜止め溝部７０内から脱出する。即ち、抜止め突部６９は抜止め溝部７０に対して着脱可能にされたものである。
【００２０】
右部裏樋６３の右側面にはロック片７１の上端部が着脱不能に固定されており、ロック片７１の下端部には、図６に示すように、貫通孔７２が形成されている。この貫通孔７２内には、図５に示すように、ネジ７３が挿入されており、ネジ７３はネジ孔７４内に螺合されている。このネジ孔７４は、図６に示すように、下部裏樋６１の右側面に形成されたものであり、右部裏樋６３はネジ７３およびネジ孔７４間の係合力で閉鎖状態にロックされている。このネジ７３がネジ孔７４から取外されたときには右部裏樋６３のロックが解除され、右部裏樋６３を閉鎖状態から開放状態に回動操作することが可能になる。このロック片７１が右部裏樋６３を閉鎖状態にロックする状態をロック状態と称し、ロック片７１が右部裏樋６３のロックを解除する状態をアンロック状態と称する。
【００２１】
下部裏樋６１には、図３に示すように、始動口挿入孔７５および特別入賞口挿入孔７６が形成されており、電動始動装置４２の樋５０は始動口挿入孔７５内に挿入され、特別電動入賞装置４６の樋５１は特別入賞口挿入孔７６内に挿入されている。この下部裏樋６１にはアウト口７７が形成されている。このアウト口７７は前後面が開口する筒状をなすものであり、遊技盤３０のアウト孔５２の内周面に嵌合されている。
【００２２】
下部裏樋６１には左下厚さ調整部７８および右下厚さ調整部７９が形成されている。これら左下厚さ調整部７８および右下厚さ調整部７９のそれぞれは遊技盤３０の前後方向の厚さ寸法を厚く調整するものであり、左下厚さ調整部７８は遊技盤３０と共に左下の支え部６および左下のストッパ９相互間で挟持され、右下厚さ調整部７９は遊技盤３０と共に右下の支え部６および右下のストッパ９相互間で挟持される。上部裏樋６４には左上厚さ調整部８０および右上厚さ調整部８１が形成されている。これら左上厚さ調整部８０および右上厚さ調整部８１のそれぞれは遊技盤３０の前後方向の厚さ寸法を厚く調整するものであり、左上厚さ調整部８０は遊技盤３０と共に左上の支え部６および左上のストッパ７相互間で挟持され、右上厚さ調整部８１は遊技盤３０と共に右上の支え部６および右上のストッパ７相互間で挟持される。
３．液晶ステー９０の詳細構成
液晶ステー９０は、図３に示すように、下部ステー９１と左部ステー９２と右部ステー９３と上部ステー９４を有する矩形枠状をなすものであり、下部ステー９１と左部ステー９２と右部ステー９３と上部ステー９４は単一物として一体成形されている。この液晶ステー９０は後方から液晶ステー９０を通して下部裏樋６１と左部裏樋６２と上部裏樋６４の３部材にネジを螺合することで３部材の後面に直接的に接合されたものであり、裏樋６０と共にスペーサ１５０（図２参照）を構成している。このスペーサ１５０は枠部材に相当するものであり、図３に示すように、下横部１５１と左縦部１５２と右縦部１５３と上横部１５４を有している。下横部１５１は下部裏樋６１および下部ステー９１から構成されたものであり、左縦部１５２は左部裏樋６２および左部ステー９２から構成されたものであり、右縦部１５３は右部裏樋６３および右部ステー９３から構成されたものであり、上横部１５４は上部裏樋６４および上部ステー９４から構成されたものである。
３．下意匠板１００の説明
下意匠板１００は前方から下意匠板１００を通して下部裏樋６１に複数のネジを螺合することで下部裏樋６１の前面に直接的に接合されたものであり、遊技盤３０と下部裏樋６１との間に配置されている。この下意匠板１００の前面には絵柄が印刷されており、下意匠板１００の絵柄は前方から遊技盤３０を通して視覚的に認識可能にされている。この下意匠板１００には始動口挿入孔１０１と特別入賞口挿入孔１０２と切欠部１０３が形成されており、電動始動装置４２の樋５０は始動口挿入孔１０１内を通して下部裏樋６１の始動口挿入孔７５内に挿入され、特別電動入賞装置４６の樋５１は特別入賞口挿入孔１０２内を通して下部裏樋６１の特別入賞口挿入孔７６内に挿入され、下部裏樋６１のアウト口７７は切欠部１０３を通して遊技盤３０のアウト孔５２内に嵌合されている。
４．上意匠板１１０の説明
上意匠板１１０は前方から上意匠板１１０を通して上部裏樋６４に複数のネジを螺合することで上部裏樋６４の前面に直接的に接合されたものであり、遊技盤３０と上部裏樋６４との間に配置されている。この上意匠板１１０の前面には絵柄が印刷されており、上意匠板１１０の絵柄は前方から遊技盤３０を通して視覚的に認識可能にされている。
５．裏樋カバー１２０の説明
裏樋カバー１２０は後方から裏樋カバー１２０を通して下部裏樋６１に複数のネジを螺合することで下部裏樋６１の後面に直接的に接合されたものであり、裏樋カバー１２０には球排出路が形成されている。この球排出路は電動始動装置４２の樋５０から落下した遊技球および特別電動入賞装置４６の樋５１から落下した遊技球が侵入するものであり、樋５０から落下した遊技球および樋５１から落下した遊技球は球排出路を通して裏樋カバー１２０の外部に排出される。
６．表示器ケース１３０の説明
表示器ケース１３０は下板部１３１と左板部１３２と右板部１３３と上板部１３４と後板部１３５を有する矩形皿状をなすものであり、下板部１３１と左板部１３２と右板部１３３と上板部１３４と後板部１３５の間には空間状の表示器収納部１３６が形成されている。この表示器ケース１３０の下板部１３１には２枚の下プレート１３７が形成され、表示器ケース１３０の上板部１３４には１枚の上プレート１３８が形成されており、各下プレート１３７には後方から複数のネジが挿入され、上プレート１３８には後方から複数のネジが挿入されている。各下プレート１３７に挿入された複数のネジは下部裏樋６１に螺合され、上プレート１３８に挿入された複数のネジは上部裏樋６４に螺合されており、表示器ケース１３０は裏樋６０を介して遊技盤３０の後面に間接的に接合され、液晶ステー９０は表示器ケース１３０の表示器収納部１３６内に収納されている。
７．装飾図柄表示器１４０の説明
装飾図柄表示器１４０は表示器ケース１３０の表示器収納部１３６内に収納されたものであり、液晶画面１４１および液晶画面１４１を保持する矩形状の画面フレーム１４２を有している。この画面フレーム１４２は液晶ステー９０と表示器ケース１３０の後板部１３５との間で挟持されたものであり、装飾図柄表示器１４０は遊技盤３０に裏樋６０および液晶ステー９０を介して間接的に接合されている。この装飾図柄表示器１４０の画面フレーム１４２には外部から表示器ケース１３０を通して複数のネジが螺合されており、装飾図柄表示器１４０は複数のネジを介して表示器ケース１３０に固定されている。この装飾図柄表示器１４０と遊技盤３０と裏樋６０と液晶ステー９０の間には、図５に示すように、閉鎖空間１６０が形成されている。この閉鎖空間１６０は遊技盤３０と裏樋６０と液晶ステー９０と装飾図柄表示器１４０で囲まれた空間部を称するものであり、清掃口６８は、図６に示すように、閉鎖空間１６０の外部から内部に清掃具１６１を挿入する開口部として機能する。この清掃具１６１は遊技盤３０の後面に付着した埃および装飾図柄表示器１４０の液晶画面１４１に付着した埃を払拭するものであり、柄１６２の先端部にスポンジ１６３を固定することから構成されている。
【００２３】
装飾図柄表示器１４０の液晶画面１４１は下部裏樋６１と左部裏樋６２と右部裏樋６３と上部裏樋６４で囲まれた内部空間および下部ステー９１と左部ステー９２と右部ステー９３と上部ステー９４で囲まれた内部空間の後方に配置されており、下部裏樋６１および下部ステー９１のそれぞれは液晶画面１４１の下端面に沿って横方向へ延び、左部裏樋６２および左部ステー９２のそれぞれは液晶画面１４１の左側面に沿って縦方向へ延び、右部裏樋６３および右部ステー９３のそれぞれは液晶画面１４１の右側面に沿って縦方向へ延び、上部裏樋６４および上部ステー９４のそれぞれは液晶画面１４１の上端面に沿って横方向へ延びている。この液晶画面１４１は表示画面に相当するものであり、前方から遊技盤３０と裏樋６０の内部空間と液晶ステー９０の内部空間を通して全体が視覚的に認識可能にされている。この液晶画面１４１は装飾図柄が表示されるものである。この装飾図柄は大当りおよび外れを識別する識別図柄として機能するものであり、左列の図柄要素と中列の図柄要素と右列の図柄要素から構成されている。
８．遊技盤ユニット２０の装着状態について
遊技盤ユニット２０は上皿板１２および窓枠１７の双方が開放された状態で前方から内枠２の遊技盤収納部５内に収納されるものである。この遊技盤ユニット２０の収納状態では裏樋６０の左下厚さ調整部７８と右下厚さ調整部７９と左上厚さ調整部８０と右上厚さ調整部８１のそれぞれが内枠２の支え部６によって後方から支えられ、左下厚さ調整部７８が遊技盤３０と共に前方のストッパ９と後方の支え部６との間で挟持され、右下厚さ調整部７９が遊技盤３０と共に前方のストッパ９と後方の支え部６との間で挟持されており、残りの各ストッパ７が遊技盤３０に前方から重なるロック状態に回動操作されたときには左上厚さ調整部８０が遊技盤３０と共に前方のストッパ７と後方の支え部６との間で挟持され、右上厚さ調整部８１が遊技盤３０と共に前方のストッパ７と後方の支え部６との間で挟持される。遊技盤ユニット２０は上皿板１２および窓枠１７の双方が開放された状態で内枠２の遊技盤収納部５内から取外されるものである。この場合には両ストッパ７を遊技盤３０の前方から外れるアンロック状態に回動操作し、左上厚さ調整部８０と右上厚さ調整部８１のそれぞれを遊技盤３０と共に挟持解除状態にする。
９．遊技盤ユニット２０のメンテナンスについて
遊技盤３０の後面に埃が付着したり、あるいは、装飾図柄表示器１４０の液晶画面１４１に埃が付着したときには内枠２を閉鎖状態から開放状態に軸３を中心に回動操作する。この内枠２の開放状態では右部裏樋６３およびロック片７１が前方から操作可能な露出状態になるので、ロック片７１のネジ７３を取外すことに基づいて右部裏樋６３のロックを解除する。そして、右部裏樋６３を閉鎖状態から開放状態に回動操作し、清掃口６８を開放する。この清掃口６８の開放状態で右方から清掃口６８を通して閉鎖空間１６０の内部に清掃具１６１を挿入し、遊技盤３０の後面および装飾図柄表示器１４０の液晶画面１４１を清掃具１６１のスポンジ１６３で払拭する。次に右部裏樋６３を開放状態から閉鎖状態に回動操作し、清掃口６８を閉鎖する。この右部裏樋６３の閉鎖状態でロック片７１を通して右部裏樋６３のネジ孔７４にネジ７３を螺合し、右部裏樋６３を閉鎖状態にロックした後で内枠２を開放状態から閉鎖状態に戻す。
１０．遊技機能の説明
装飾図柄表示器１４０の液晶画面１４１には、図７の（ａ）に示すように、左列の図柄要素と中列の図柄要素と右列の図柄要素のそれぞれとして「１」「２」「３」「４」「５」「６」「７」「８」のいずれかの数字が変動停止状態で表示されており、遊技球が電動始動装置４２の上始動口４３内および下始動口４４内のいずれかに入賞したときには、図７の（ｂ）に示すように、３列の図柄要素が変動停止状態から変動状態になる。この変動状態とは縦一列に並ぶ「１」〜「８」の８種の図柄要素を縦方向に表示範囲が移動するようにスクロール表示するものであり、各列の図柄要素は上から下へ移動しながら「１」→「２」→「３」→「４」→「５」→「６」→「７」→「８」→「１」…の順序で循環的に変化する。これら左列の図柄要素と中列の図柄要素と右列の図柄要素は装飾図柄を構成するものであり、装飾図柄は（１）左列の図柄要素（２）右列の図柄要素（３）中列の図柄要素の順序で変動停止する。
【００２４】
左列の図柄要素および右列の図柄要素の両者が変動停止した状態でリーチの組合せになったときには複数種の演出映像が選択的に表示される。このリーチの組合せとは、図７の（ｃ）に示すように、左列の図柄要素および右列の図柄要素が相互に同一な組合せを称するものであり、演出映像とは最終の中列の図柄要素が左列の図柄要素および右列の図柄要素と同一の数字で変動停止するか否かを演出する物語調の映像を称する。図７の（ｄ）〜（ｆ）は演出映像の一例を示すものであり、殿が風呂の熱さに耐えられるか否かで中列の図柄要素が左列の図柄要素および右列の図柄要素と同一の数字で変動停止するか否かが演出される。
【００２５】
左列の図柄要素と右列の図柄要素と中列の図柄要素の全てが変動停止した状態で大当りの組合せになったときには大当り遊技が開始され、大当りの組合せとは相違する外れの組合せになったときには大当り遊技が開始されない。大当りの組合せは左列の図柄要素と中列の図柄要素と右列の図柄要素が相互に同一な組合せを称するものであり、大当りの組合せには「１１１」「２２２」「３３３」「４４４」「５５５」「６６６」「７７７」「８８８」の８通りが設定されている。大当り遊技は特別電動入賞装置４６の扉４７を開放し、特別電動入賞装置４６の特別入賞口内に遊技球が入賞することを許容する遊技者有利の状態を発生させるものであり、扉４７は特別入賞口内に上限値（例えば１０個）の遊技球が入賞する個数条件または開放時間が上限値（例えば３０ｓｅｃ）に達する時間条件が満足されるまで開放状態に保持される。この扉４７の個数条件および時間条件を基準とする開閉動作は大当りラウンドと称されるものであり、大当りラウンドは固定的な設定回数（例えば１５回）だけ繰返される。
【００２６】
上記実施例１によれば次の効果を奏する。
スペーサ１５０に清掃口６８を設け、清掃口６８を右部裏樋６３によって開閉する構成とした。このため、遊技盤３０と装飾図柄表示器１４０とスペーサ１５０が相互に接合された構成であっても遊技盤３０を装飾図柄表示器１４０から取外すことなく右部裏樋６３を回動操作することで清掃口６８を開放し、閉鎖空間１６０の外部から清掃口６８を通して閉鎖空間１６０の内部に清掃具１６１を挿入することができる。従って、遊技盤３０の後面および装飾図柄表示器１４０の液晶画面１４１のそれぞれを容易に清掃することができるので、装飾図柄表示器１４０の表示内容が埃の影響で不鮮明になることを防止できる。しかも、遊技盤３０の後面および装飾図柄表示器１４０の液晶画面１４１をいずれも清掃しないときには清掃口６８を閉鎖しておくことができるので、閉鎖空間１６０の外部から内部に清掃口６８を通して埃が侵入することを抑えることができる。
【００２７】
スペーサ１５０のうち装飾図柄表示器１４０の液晶画面１４１の右側面に沿って縦方向へ延びる一部である右部裏樋６３を回動操作することで清掃口６８を開閉する構成とした。このスペーサ１５０の右方にはパチンコ遊技機の構成部品が少ないので、右部裏樋６３をパチンコ遊技機の構成部品に邪魔されることなく容易に開閉操作することが可能になる。右部裏樋６３を閉鎖状態にロックするロック片７１を設けた。このため、例えば遊技者がパチンコ遊技機を叩いたときの振動で右部裏樋６３が開くことがなくなるので、閉鎖空間１６０の外部から清掃口６８を通して閉鎖空間１６０の内部に埃が不用意に侵入することを防止できる。しかも、右部裏樋６３およびロック片７１を内枠２の側面より後方に配置し、内枠２の開放状態で右部裏樋６３およびロック片７１が操作可能に露出するように構成したので、この点からも右部裏樋６３およびロック片７１を容易に操作することが可能になる。
【００２８】
スペーサ１５０のうち内枠２の軸３とは反対側に位置する右部裏樋６３を回動操作することで清掃口６８を開閉し、内枠２の開放状態で右部裏樋６３がロック片７１と共に操作可能に露出するように構成したので、内枠２から遊技盤ユニット２０を取外すことなく清掃口６８を開放するだけで遊技盤３０の後面および装飾図柄表示器１４０の液晶画面１４１のそれぞれを清掃することができる。このため、内枠２から遊技盤ユニット２０を取外すために電動始動装置４２のハーネスおよび特別電動入賞装置４６のハーネスのそれぞれを内枠２の制御基板から取外す必要がなくなるので、遊技盤３０の後面の清掃作業および装飾図柄表示器１４０の液晶画面１４１の清掃作業のそれぞれが簡単になる。
【００２９】
下部裏樋６１および上部裏樋６４相互間の右側部の全領域を清掃口６８とした。このため、閉鎖空間１６０の外部から清掃口６８を通して遊技盤３０の後面の全域および装飾図柄表示器１４０の液晶画面１４１の全域に清掃具１６１が容易に届くようになるので、遊技盤３０の後面の全域および装飾図柄表示器１４０の液晶画面１４１の全域を容易に清掃することができる。
【００３０】
右部裏樋６３の下面を下部裏樋６１の上面と同一の水平面上に配置し、右部裏樋６３の開放状態で下部裏樋６１の上面のうち清掃口６８側の部分に段差が形成されないように構成したので、遊技盤３０の後面の清掃時および装飾図柄表示器１４０の液晶画面１４１の清掃時に遊技盤３０の後面および装飾図柄表示器１４０の液晶画面１４１から下部裏樋６１の上面に落下した埃を清掃口６８から掃き出し易くなる。
【００３１】
上記実施例１においては、下部裏樋６１の上面の全域を段差を持たない平滑面から構成しても良い。この構成の場合、遊技盤３０の後面の清掃時および装飾図柄表示器１４０の液晶画面１４１の清掃時に遊技盤３０の後面および装飾図柄表示器１４０の液晶画面１４１から下部裏樋６１の上面に落下した埃を清掃口６８から掃き出し易くなる。
【００３２】
上記実施例１においては、右部裏樋６３の下端部を下部裏樋６１に回動可能に連結し、右部裏樋６３を下端部を中心に回動操作することで清掃口６８を開閉しても良い。
上記実施例１においては、右部裏樋６３を下部裏樋６１および上部裏樋６４の双方に対して着脱可能に装着しても良い。即ち、右部裏樋６３を下部裏樋６１および上部裏樋６４の双方に装着することで清掃口６８を閉鎖し、右部裏樋６３を下部裏樋６１および上部裏樋６４の双方から取外すことで清掃口６８を開放しても良い。
【００３３】
上記実施例１においては、下部裏樋６１および上部裏樋６４相互間の左端部に清掃口を形成しても良い。この場合、左部裏樋６２を下部裏樋６１または上部裏樋６４に回動可能に連結し、左部裏樋６２を回動操作することで清掃口を開閉すると良い。
【００３４】
上記実施例１においては、右部裏樋６３の一部を右部裏樋６３の残りの部分から分割し、下部裏樋６１および上部裏樋６４相互間の右側部の一部の領域を清掃口としても良い。あるいは、左部裏樋６２の一部を左部裏樋６２の残りの部分から分割し、下部裏樋６１および上部裏樋６４相互間の左側部の一部の領域を清掃口としても良い。
【００３５】
上記実施例１においては、遊技盤３０の後面を清掃する専用の清掃具を閉鎖空間１６０の外部から清掃口６８を通して閉鎖空間１６０の内部に挿入することで遊技盤３０の後面を清掃し、装飾図柄表示器１４０の液晶画面１４１を清掃する専用の清掃具を閉鎖空間１６０の外部から清掃口６８を通して閉鎖空間１６０の内部に挿入することで装飾図柄表示器１４０の液晶画面１４１を清掃しても良い。
【００３６】
上記実施例１においては、下部裏樋６１と左部裏樋６２と右部裏樋６３と上部裏樋６４を相互に変位不能に接合する構成しても良い。この構成の場合、下部裏樋６１と左部裏樋６２と右部裏樋６３と上部裏樋６４のいずれかに貫通孔状の清掃口を形成し、清掃口内にゴム製の栓からなる開閉部材を着脱可能に嵌合すると良い。
【図面の簡単な説明】
【００３７】
【図１】実施例１を示す図（パチンコ遊技機の全体構成を示す斜視図）
【図２】遊技盤ユニットおよび内枠を分解状態で示す斜視図
【図３】遊技盤ユニットを分解状態で示す斜視図
【図４】遊技盤を示す前面図
【図５】下部裏樋と上部裏樋と右部裏樋を清掃口の閉鎖状態で示す斜視図
【図６】下部裏樋と上部裏樋と右部裏樋を清掃口の開放状態で示す斜視図
【図７】図柄遊技の映像の一例を示す図
【符号の説明】
【００３８】
３０は遊技盤、６３は右部裏樋、６８は清掃口、１４０は装飾図柄表示器、１４１は液晶画面、１５０はスペーサ、１６０は閉鎖空間、１６１は清掃具を示している。
【図１】
2007190248.tif 000003
【図２】
2007190248.tif 000004
【図３】
2007190248.tif 000005
【図４】
2007190248.tif 000006
【図５】
2007190248.tif 000007
【図６】
2007190248.tif 000008
【図７】
2007190248.tif 000009